(57)【要約】【目的】電話番号入力による目的地設定において、入力した電話番号に対応する位置データがデータベースに存在しない場合に、入力した電話番号に簡単に電話を掛けることができ、繰り返し入力といった時間と手間がかからない「ナビゲーション装置およびその目的地設定方法」を提供することにある。【構成】電話番号による目的地設定において、入力された電話番号に対応する位置データがデータベースに存在しない場合には該電話番号を記憶し、該電話番号に電話を掛けることが選択された場合には該電話番号に電話を掛けるように制御する。更に、目的地に電話を掛けることが要求されたら、該電話番号の短縮ダイヤル用選択ボタンを表示し、該短縮ダイヤルにより該電話番号に電話を掛けるように制御する。【選択図】図１
2009192452.tif 000002
【特許請求の範囲】
【請求項１】
電話番号を用いて目的地を設定するナビゲーション装置の目的地設定方法において、
電話番号を入力するステップ、
入力された電話番号に対応する位置データがデータベースに存在するか判断するステップ、
前記位置データが存在する場合には該位置データが示す地点を目的地に設定するステップ、
前記位置データが存在しない場合には前記電話番号を記憶するステップ、
を備えたことを特徴とするナビゲーション装置の目的地設定方法。
【請求項２】
更に、前記位置データが存在しない場合には該位置データが存在しないことを出力すると共に、前記電話番号に電話を掛けるかの確認を行うステップ、
前記電話番号に電話を掛けることが選択された場合には該電話番号に電話を掛けるステップ、
を備えたことを特徴とする請求項１記載のナビゲーション装置の目的地設定方法。
【請求項３】
更に、前記位置データが存在しない場合には前記電話番号の地域を示す番号に応じた代表地点を目的地と設定するように制御するステップ、
を備えたことを特徴とする請求項１記載のナビゲーション装置の目的地設定方法
【請求項４】
更に、車両現在位置が前記代表地点付近かを判断するステップ、
前記現在位置が前記代表地点付近である場合には前記電話番号に電話を掛けるかの確認を行うステップ、
を備えたことを特徴とする請求項３記載のナビゲーション装置の目的地設定方法。
【請求項５】
更に、目的地に電話を掛けることを要求するステップ、
該要求により前記電話番号の短縮ダイヤル用選択ボタンを表示するステップ、
前記短縮ダイヤルにより前記電話番号に電話を掛けるステップ、
を備えたことを特徴とする請求項１記載のナビゲーション装置の目的地設定方法。
【請求項６】
電話番号を用いて目的地を設定するナビゲーション装置において、
電話番号に対応する位置データを記憶するデータベース部と、
電話番号を入力する電話番号入力部と、
電話番号を記憶する電話番号記憶部と、
前記入力された電話番号に対応する位置データが前記データベース部に存在するか判断すると共に、前記位置データが存在する場合には該位置データが示す地点を目的地に設定し、該位置データが存在しない場合には前記電話番号記憶部に電話番号を記憶するように制御する制御部と、
を備えたことを特徴とするナビゲーション装置。
【請求項７】
前記制御部は、前記位置データが前記データベース部に存在せず、前記電話番号に電話を掛けることが選択された場合には前記記憶してある電話番号に電話を掛けるように制御することを特徴とする請求項６記載のナビゲーション装置。
【請求項８】
前記制御部は、更に、前記位置データが前記データベース部に存在しない場合には前記電話番号の地域を示す番号に応じた代表地点を目的地と設定するように制御すること、
を特徴とする請求項６記載のナビゲーション装置。
【請求項９】
前記制御部は、更に、車両現在位置が前記代表地点付近かを判断し、前記現在位置が前記代表地点付近である場合には前記電話番号に電話を掛けるかの確認を行うように制御すること、
を特徴とする請求項８記載のナビゲーション装置。
【請求項１０】
更に、前記目的地に電話を掛けることを要求する要求部を備え、
前記制御部は、該要求により前記記憶した電話番号の短縮ダイヤル用選択ボタンを表示する、
ことを特徴とする請求項６記載のナビゲーション装置。
【発明の詳細な説明】
【技術分野】
【０００１】
本発明は、ナビゲーション装置およびその目的地設定方法に係り、特に電話番号を用いて目的地を設定するナビゲーション装置およびその目的地設定方法に関する。
【背景技術】
【０００２】
ナビゲーション装置は目的地へ安心して車で訪れることができるようにルート案内を行うものであり、近年、さまざまな方式のものが提案されている。それらの中には目的地までのルートを設定してディスプレイに道路地図と設定したルートを表示するものや、そのルートを間違いなく走行できるように曲がるべき交差点に関して残距離や名称、右左折などの情報を提供するものがある。このようなナビゲーション装置では、まず、ルート設定が必要であり、ルート設定を行うには出発地および目的地の設定を行うことが必要である。目的地の設定方法として、例えばジャンル別設定方法、登録地点設定方法、地点名設定方法、電話番号設定方法などがある。この設定により出発地と目的地が決定されると、出発地と目的地間の道路情報データからルート探索処理が行われ、複数のルートの中から最適ルートが設定される。
【０００３】
目的地を電話番号で設定するには、あらかじめ施設の電話番号と該施設の地点位置（経緯度）をデータベース化しておき、入力された電話番号に対応した地点位置をデータベースから求め、該地点を目的地として経路探索する。かかる目的地の電話番号設定によれば、電話番号を用いて簡単に目的地設定ができる利点がある。しかし、電話番号設定を行う際に、電話番号を入力しても、その電話番号に対応する位置座標がデータベースに記憶されておらず、電話番号設定ができない場合がある。この場合もう一度最初から設定方法を選択し、目的地設定を行わなければならず、目的地設定操作に時間と手間がかかるという煩わしさがある。
【０００４】
そこで、従来技術として、データベースに電話番号に対応する位置座標と地域を示す局番（地域局番という）に対応する代表位置座標とのデータを記憶させておき、入力された電話番号に対応する位置座標が存在する場合にはその位置座標を目的地として設定し、入力された電話番号に対応する位置座標が存在しない場合には地域局番に対応する代表位置座標を目的地として設定する技術（特許文献１）がある。
この従来技術においては、図８（Ａ）に示すようなタッチパネル付きモニタＭＮに電話番号入力画面を表示し、テンキーＴＫを操作して目的地の電話番号を入力し、その電話番号に対応する位置座標がデータベースに存在しなかった場合には（Ｂ）に示すような画面でその旨をユーザに通知し、ついで（Ｃ）に示すような画面を表示し、入力された電話番号の地域局番に対応する代表位置座標を目的地に設定するか尋ね、設定することが選択されたら、その代表位置座標を目的地に設定する。この従来技術によれば、目的地などの入力を簡便に行うことができる。
【特許文献１】特公平７−６０４７９号公報
【発明の開示】
【発明が解決しようとする課題】
【０００５】
上記従来技術では、入力した電話番号に対応する位置座標がデータベースに存在しなければ、入力された電話番号の地域局番に対応する代表位置座標を目的地として設定する。この場合、ユーザは該代表位置までは到達することができるが、ユーザの所望の目的地までは到達することができない。そこで、該代表位置に到達した時点、もしくは該代表位置に向かっている途中で、目的地に電話を掛け、詳細位置を聞き目的地を設定しなおす必要が生じる。かかる場合、車両を一時停車して目的地の電話番号を数字入力しなくてはならず、ユーザにとっては時間と手間がかかるという問題がある。
【０００６】
また、目的地設定のために入力した電話番号に対応する位置座標がデータベースに存在しない場合、その時点でユーザは目的地に直接電話して住所や目標施設などを聞いて別の目的地設定方法により目的地を設定したい場合がある。従来技術においては、かかる場合、ユーザは再度、目的地の電話番号を数字入力しなければならず煩わしい問題がある。
【０００７】
本発明の第１の目的は、目的地設定のために入力した電話番号を繰り返し入力しなくても目的地へ電話を掛けることを可能とすることである。
本発明の第２の目的は、一時停車せず走行した状態でも安全に目的地へ電話をかけることを可能とすることである。
本発明の第３の目的は、入力した電話番号の地域局番に対応する代表地点までの経路案内中にも目的地に簡単に電話をかけることを可能とすることである。
本発明の第４の目的は、入力した電話番号の代表地点付近かユーザが判断することなく目的地へ電話をかけることを可能とすることである。
【課題を解決するための手段】
【０００８】
本発明は、電話番号を用いて目的地を設定するナビゲーション装置、およびその目的地設定方法である。
・目的地設定方法
本発明の目的地設定方法は、電話番号を入力するステップ、入力された電話番号に対応する位置データがデータベースに存在するか判断するステップ、前記位置データが存在する場合には該位置データが示す地点を目的地に設定するステップ、前記位置データが存在しない場合には前記電話番号を記憶するステップ、を備えている。
本発明の目的地設定方法は、前記位置データが存在しない場合には該位置データが存在しないことを出力すると共に、前記電話番号に電話を掛けるかの確認を行うステップ、前記電話番号に電話を掛けることが選択された場合には該電話番号に電話を掛けるステップ、を備えている。
本発明の目的地設定方法は、前記位置データが存在しない場合には前記電話番号の地域を示す番号に応じた代表地点を目的地と設定するように制御するステップ、を備えている。
本発明の目的地設定方法は、車両現在位置が前記代表地点付近かを判断するステップ、前記現在位置が前記代表地点付近である場合には前記電話番号に電話を掛けるかの確認を行うステップ、を備えている。
本発明の目的地設定方法は、目的地に電話を掛けることを要求するステップ、該要求により前記電話番号の短縮ダイヤル用選択ボタンを表示するステップ、前記短縮ダイヤルにより前記電話番号に電話を掛けるステップ、を備えている。
【０００９】
・ナビゲーション装置
本発明のナビゲーション装置は、電話番号に対応する位置データを記憶するデータベース部と、電話番号を入力する電話番号入力部と、電話番号を記憶する電話番号記憶部と、前記入力された電話番号に対応する位置データが前記データベース部に存在するか判断すると共に、前記位置データが存在する場合には該位置データが示す地点を目的地に設定し、該位置データが存在しない場合には前記電話番号記憶部に電話番号を記憶するように制御する制御部と、を備えている。
本発明のナビゲーション装置において、前記制御部は、前記位置データが前記データベース部に存在せず、前記電話番号に電話を掛けることが選択された場合には前記電話機を用いて前記記憶してある電話番号に電話を掛けるように制御する。
本発明のナビゲーション装置の前記制御部は、更に、前記位置データが前記データベース部に存在しない場合には前記電話番号の地域を示す番号（地域局番）に応じた代表地点を目的地と設定するように制御する。
【発明の効果】
【００１０】
本発明によれば、入力された電話番号に対応する位置テータがデータベースに存在しない場合には、該入力された電話番号を記憶するようにしたので、該入力された電話番号を繰り返し入力しなくても目的地へ電話を掛けることができ、該電話番号に電話を掛ける際に数字入力する必要がなくなりユーザに煩わしさを感じさせることがない。
また、本発明によれば、入力された電話番号の地域局番に対応する代表地点を目的地にし、かつ該入力された電話番号を記憶するようにしたので、該代表地点までの経路案内中に目的地に簡単に電話を掛けることができ、ユーザに煩わしさを感じさせることがない。
また、本発明によれば、入力された電話番号に対応する位置データがデータベースに存在しない場合には、該入力された電話番号を記憶し、かつ該記憶した電話番号に電話を掛ける際の短縮ダイヤル用選択ボタンを表示するようにしたので、一時停車せず走行した状態でも目的地に電話を掛けることができユーザにとって時間と手間がかからない。
また、本発明によれば、入力した電話番号の地域局番に対応する代表地点付近に到達すると、自動でユーザに電話を掛けるか否かの質問をするようにしたので、代表地点付近に到達したかユーザが判断することなく目的地へ電話を掛けることができ、ユーザにとって時間と手間がかからない。
【発明を実施するための最良の形態】
【００１１】
（Ａ）本発明の概略
図１は本発明の概略説明図である。１は表示画面、２は電話番号を入力するためのテンキー、３は修正ボタン、４は完了ボタンを示している。ユーザは目的地設定選択画面において、電話番号設定を選択する。電話番号設定を選択すると、図１（Ａ）の（ａ）に示すような表示画面になる。ここでユーザはテンキー２を用いて目的地の電話番号を入力する。ユーザが入力した電話番号に対応する位置データがデータベースに存在する場合にはその電話番号に対応する住所を目的地に設定する。しかし、ユーザが入力した電話番号に対応する位置データがデータベースに存在しない場合には（ｂ）に示すような表示画面を表示すると共に、ユーザが入力した電話番号を目的地の電話番号として電話番号記憶部に記憶する。その後、（ｃ）に示すような目的地に電話を掛けるかの表示画面を表示し、ユーザが目的地に電話を掛けることを選択した場合には、目的地に電話を掛け、ユーザが目的地に電話を掛けないことを選択した場合には、目的地に電話を掛けない。次に、（ｄ）に示すような入力した電話番号の地域局番に対応する代表地点を目的地に設定するかの表示画面を表示し、ユーザが目的地の電話番号の地域局番に対応する代表地点を目的地に設定することを選択した場合、代表地点を目的地に設定しルート案内を開始する。そして、現在の車両位置が代表地点付近に到着したら、（ｅ）に示すような目的地に電話を掛けるかの表示画面を表示し、ユーザが目的地に電話を掛けることを選択したら目的地に電話を掛ける。また、ユーザが走行中に電話を掛けることを要求した場合には、（Ｂ）に示すような短縮ダイヤル画面５を表示する。これにより目的地の短縮ダイヤル用選択ボタン５ａを操作して電話を掛ける。
【００１２】
（Ｂ）車載機
図２は本発明の目的地設定方法を適用するナビゲーションユニットを備えた車載機の構成図である。
車載機は、車載ナビゲーション制御を実行するナビゲーションユニット１１、表示装置１２、操作部１３、ハンズフリー電話制御を行うハンズフリーユニット１４、図示しないオーディオユニットを備えている。
ナビゲーションユニット１１において、地図データ記憶部２１は地図を記憶する地図記憶媒体であり、自律航法センサ２２は図示しない方位センサ、速度センサなどから構成されており、ＧＰＳ受信機２３は衛星航法システムを利用している。地図情報メモリ２４は、自律航法センサ２２およびＧＰＳ受信装置２３より算出された現在位置に基づいて、地図データ記憶部２１から読み出した車両位置周辺の地図情報を記憶する。データベースメモリ２５は全国の施設の住所データ２５ａや、電話番号データ２５ｂなどさまざまなデータベースを記憶し、制御部２６はナビゲーション装置全体を制御するとともに、後述する本発明における目的地設定制御を行う。
ＲＯＭ２７は各種ソフトウェアを記憶するものであり、（１）誘導経路探索用ソフトウェア、（２）経路誘導ソフトウェアなどさまざまな制御プログラムを記憶する。ＲＡＭ２８は誘導経路データや各種処理結果を一時的に記憶すると共に、ユーザから入力された電話番号に対応する位置データがデータベース２５に存在しない場合に該入力された電話番号を記憶する。
【００１３】
表示装置１２はモニタ１２ａとタッチパネル１２ｂとを備えている。タッチパネル１２ｂはモニタ１２ａに表示されるテンキーを押下することによって目的地設定に用いる目的地の電話番号を入力するなど、表示される画面を操作するためにも用いる。また、操作部１３は例えばハンドルに備えられており、ユーザが走行中に簡単に車載機の種々の操作を行うために用いる。
【００１４】
ハンズフリーユニット１４はマイコン構成になっており、プロセッサ、プログラムメモリ、データメモリなどを備えており、携帯電話機２９とハンズフリーユニット１４間には電話機インターフェース３０が設けられ、相互に制御データ（着信、発信制御データなど）を送受するようになっている。電話機インターフェース３０は、送受信部を備え、携帯電話機２９や図示しない移動電話網、一般公衆網などを介して相手電話機と音声で電話するようになっており、相手音声信号とユーザの音声信号とを図示しないオーディオユニットより入出力するようになっている。
【００１５】
図３はデータベース２５を説明する図であり、データベース２５には日本全国の電話番号のそれぞれに対応する位置データ（経緯度）が少なくとも記憶されている。
図３に示すように、電話番号、例えば「０２４６−３６−４１１１」には位置データ（Ｘ２、Ｙ２）が対応しており、該位置データに対応する住所「福島県いわき市好間工業団地２０−１」も記憶されている。また、地域局番（上６桁）「０２４６−３６」に対応する代表地点の位置データ（Ｘ１、Ｙ１）が記憶されており、該位置データに対応する住所「福島県いわき市好間ｘｘ−ｘ」が記憶されている。このように、電話番号に位置データと住所データがそれぞれ１：１に対応している。
【００１６】
図４は目的地設定の概略フローチャートである。尚、既に目的地設定モードになっているものとする。
目的地設定を行う場合、ユーザは、表示装置２９に表示される複数の目的地設定の方法（例えば、ジャンル別設定、電話番号設定、自宅設定、地点名設定、登録地点設定など）の中より所定の目的地設定方法、例えば電話番号入力による目的地設定を選択する（ステップＳ４０１）。
次に、図１（Ａ）の（ａ）に示すような画面を表示し、ユーザはテンキー２を押下することによって、電話番号を入力し目的地設定を行う（ステップＳ４０２）。この場合、ユーザが入力した電話番号に対応する位置データがデータベースに存在する場合には、目的地設定は終了し、該位置データがデータベースに存在しない場合には、後述する本発明により目的地設定や目的地への発呼制御を行う。
【００１７】
（Ｃ）目的地設定処理
図５は出発時における目的地設定の処理フローである。尚、既に図示しない目的地設定方法選択の画面より電話番号設定が選択されているものとする。
【００１８】
かかる状態において、制御部２６は、図１（Ａ）の（ａ）に示すような電話番号を入力するためのテンキー２、修正ボタン３、完了ボタン４を表示装置１２に表示する（ステップＳ５０１）。
ユーザはテンキー２を使用して目的地とする電話番号を入力する（ステップＳ５０２）。
そして、制御部２６は、ステップＳ５０２においてユーザが入力した電話番号に対応する位置データがデータベースメモリ２５に存在するか判断を行う（ステップＳ５０３）。存在する場合には該位置データが示す地点を目的地として設定して処理を終了する。
一方、ステップＳ５０３において、入力した電話番号に対応する位置データがデータベースメモリ２５に存在しない場合には、制御部２６は該電話番号をＲＡＭ２８に記憶すると共に、図１（Ａ）の（ｂ）に示すような、該電話番号を記憶した旨を通知する画面を表示装置１２に表示する（ステップＳ５０４）。
【００１９】
その後、所定時間後に制御部２６は、図１（Ａ）の（ｃ）に示すような、該電話番号に電話を掛けるかの質問する設問画面を表示装置１２に表示し（ステップＳ５０５）、該電話番号に電話を掛ける場合にはステップＳ５０７に進み、該電話番号に電話を掛けない場合にはステップＳ５０８に進む（ステップＳ５０６）。
ステップＳ５０６において、電話を掛けることをユーザが選択した場合、携帯電話機２９を用いて該電話番号に電話を掛けるように制御部２６はハンズフリーユニット１４を制御し（ステップＳ５０７）、ステップＳ５０８に進む。
ステップＳ５０６において、該電話番号に電話を掛けないことをユーザが選択した場合、もしくはステップＳ５０７において、携帯電話機２９を用いて該電話番号に電話を掛けた場合、制御部２６は、図１（Ａ）の（ｄ）に示すように入力した電話番号の近くを、例えば電話番号の地域局番に対応する代表地点（図３参照）を目的地に設定するかの質問をする設問画面を表示装置１２に表示する（ステップＳ５０８）。ユーザが「いいえ」を選択すれば処理を終了し、「はい」を、すなわち該代表地点に目的地を設定することをユーザが選択した場合には、制御部２６は該代表地点を目的地に設定して処理を終了する（ステップＳ５０９、Ｓ５１０）。
【００２０】
（Ｄ）発呼制御
図６は代表地点へのルート案内中、もしくは代表地点付近到着時における発呼制御の処理フローである。
ただし、図５のステップＳ５０９において、ユーザは該代表地点を目的地に設定することを選択し、ステップＳ５１０において、制御部２６は該代表地点を目的地に設定したものとする。
ナビゲーションユニット１１は該代表地点を目的地として、ルート案内を行う（ステップＳ６０１）。
次に、制御部２６は自律航法センサ２２およびＧＰＳ受信装置２３により求められた車両位置が該代表地点付近かの判断を行い（ステップＳ６０２）、該車両位置が該代表地点付近である場合にはステップＳ６０３に進み、該車両位置が該代表地点付近でない場合にはステップＳ６０６に進む。
ステップＳ６０２おいて、該車両位置が該代表地点付近の場合、制御部２６は、図１（Ａ）の（ｅ）に示すようなＲＡＭ２８に記憶してある電話番号に電話を掛けるか質問する設問画面を表示装置１２に表示し（ステップＳ６０３）、ユーザが該電話番号に電話を掛けることを選択した場合にはステップＳ６０５に進む（ステップＳ６０４）。
【００２１】
ステップＳ６０４において、記憶されている電話番号に電話を掛けない場合には処理を終了する。しかし、電話を掛けることをユーザが選択した場合には、携帯電話機２９を用いて該電話番号に電話を掛けるように、制御部２６はハンズフリーユニット１４を制御し、処理を終了する（ステップＳ６０５）。尚、かかる場合ユーザは、例えば、目的地に電話を掛けることにより目的地の詳細位置を聞き、別の目的地設定方法（例えば、地名設定方法など）により設定することとなる。
ステップＳ６０２において、該車両位置が該代表地点付近でない場合には、制御部２６は、ユーザが操作部１３へ電話を掛ける操作を行ったかの監視を行い（ステップＳ６０６）、操作部１３へ電話を掛ける操作を行っていない場合にはステップＳ６０１に戻り、操作部１３へ電話を掛ける操作を行った場合には、ステップＳ６０７へ進む。
ステップＳ６０６において、ユーザが操作部１３へ電話を掛ける操作を行った場合には、制御部２６はハンズフリーユニット１４よりワンタッチダイヤル情報を取得し、図１（Ｂ）に示すようなワンタッチダイヤル画面５を作成して、表示装置１２に表示する（ステップＳ６０７）。尚、ワンタッチダイヤル画面５は目的地へワンタッチダイヤルするためのダイヤル５ａを有している。
そして、ユーザがワンタッチダイヤル５ａを押下したかの監視を行い（ステップＳ６０８）、押下した場合には携帯電話機２９を用いて該電話番号に電話を掛けるように、制御部２６はハンズフリーユニット１４を制御し、処理を終了する（ステップＳ６０５）。尚、かかる場合ユーザは、例えば、目的地に電話を掛けることにより目的地の詳細位置を聞き、別の目的地設定方法（例えば、地名設定方法など）により設定することとなる。
ワンタッチダイヤルにより目的地へ電話を掛けることができるため、ユーザは一時停車することなく走行中であっても、安全に電話を掛けることができる。尚、停車中には図７に示すように、ワンタッチダイヤル登録名の下に電話番号を表示するようにしてもよい。
【００２２】
以上、本実施例によれば、入力された電話番号に対応する位置データを記憶するようにしたので、該入力された電話番号を繰り返し入力しなくても目的地へ電話を掛けることができ、該電話番号に電話を掛ける際に数字入力する必要がなくなりユーザに煩わしさを感じさせることがない。
また、本実施例によれば、入力された電話番号の該電話番号の地域局番に対応する代表地点を目的地にし、かつ該入力された電話番号を記憶するようにしたので、該代表地点までの経路案内中に目的地に簡単に電話を掛けることができ、ユーザに煩わしさを感じさせることがない。
また、本実施によれば、入力された電話番号に対応する位置データがデータベースに存在しない場合には、該入力された電話番号を記憶し、かつ該記憶した電話番号に電話を掛ける際の短縮ダイヤル用選択ボタンを表示するようにしたので、一時停車せず走行した状態でも目的地に電話を掛けることができユーザにとって時間と手間がかからない。
また、本実施例によれば、入力した電話番号に対応する代表地点付近に到達すると、自動でユーザに電話を掛けるか否かの質問をするようにしたので、代表地点付近に到達したかユーザが判断することなく目的地へ電話を掛けることができ、ユーザにとって時間と手間がかからない。
【図面の簡単な説明】
【００２３】
【図１】本発明の概略説明図である。
【図２】本発明を適用できる車載機の構成図である。
【図３】データベース２５を説明する図である。
【図４】目的地設定の概略の処理フローである。
【図５】本発明の出発時における処理フローである。
【図６】本発明の代表地点付近、もしくはルート案内中における発呼制御の処理フローである。
【図７】本発明の停車時のワンタッチダイヤル画面である。
【図８】従来技術を説明する図である。
【符号の説明】
【００２４】
１  表示画面
２  テンキー
５  ワンタッチダイヤル画面
５ａ  目的地のワンタッチダイヤル
１１  ナビゲーションユニット
１２  表示装置
１２ａ  モニタ
１２ｂ  タッチパネル
１３  操作部
１４  ハンズフリーユニット
２５  データベースメモリ
２５ａ  住所データベース
２５ｂ  電話番号データベース
２６  制御部
２８  ＲＡＭ
２９  携帯電話機
【図１】
2009192452.tif 000003
【図２】
2009192452.tif 000004
【図３】
2009192452.tif 000005
【図４】
2009192452.tif 000006
【図５】
2009192452.tif 000007
【図６】
2009192452.tif 000008
【図７】
2009192452.tif 000009
【図８】
2009192452.tif 000010